(57)【要約】【課題】生体埋植材の適用面積が広い場合であっても、作業が煩雑になったり手術時間が長時間となったりすることなく、かつ、トロッカー内に挿入するのが比較的容易な生体埋植材を提供する。【解決手段】シート状の生体埋植材１であって、生体埋植材１の全体形状は、平面視矩形状であり、生体埋植材１の縁部には、生体埋植材１における１組の対辺１０，１２のうち一方の辺１０の長さが他方の辺１２の長さよりも短くなるように、所定形状に切り欠かれた切欠き部２０が形成されている。【選択図】図１
2015058037.tif 000002
【特許請求の範囲】
【請求項１】
シート状の生体埋植材であって、
前記生体埋植材の全体形状は、平面視矩形状であり、
前記生体埋植材の縁部には、前記生体埋植材における１組の対辺（１０，１２）のうち一方の辺（１０）の長さが他方の辺（１２）の長さよりも短くなるように、所定形状に切り欠かれた切欠き部（２０）が形成されている、生体埋植材（１）。
【請求項２】
請求項１に記載の生体埋植材において、
前記切欠き部（２０）は、前記生体埋植材の内角のいずれか１つであって前記一方の辺（１０）に隣接する位置に形成されている、生体埋植材（１）。
【請求項３】
請求項２に記載の生体埋植材において、
前記切欠き部（２０）の形状は、前記一方の辺（１０）に垂直な第１の辺（２２）と、前記第１の辺（２２）に垂直であって前記一方の辺（１０）と平行関係にある第２の辺（２４）との二辺から構成されたＬ字状である、生体埋植材（１）。
【請求項４】
請求項３に記載の生体埋植材において、
前記第１の辺（２２）の長さ（Ｌ１）が、２ｍｍ以上に設定されている、生体埋植材（１）。
【請求項５】
請求項１〜４のいずれか一項に記載の生体埋植材において、
前記生体埋植材の全体形状は、隣り合う辺の長さが異なる長方形状である、生体埋植材（１）。
【請求項６】
請求項１〜５のいずれか一項に記載の生体埋植材において、
前記生体埋植材が癒着防止材であることを特徴とする、生体埋植材（１）。
【発明の詳細な説明】
【技術分野】
【０００１】
本発明は、シート状の生体埋植材に関する。
【背景技術】
【０００２】
外科手術や外傷等に起因して発生し得る、生体組織の癒着を低減するための癒着防止材として、従来、シート状の癒着防止材が知られている（例えば、特許文献１及び２参照。）。このようなシート状の癒着防止材は、袋状の包装体内に収納されており、使用の際、包装体から癒着防止材を取り出し、所定の貼付方法でもって生体組織に貼付している。
【０００３】
また、近年では、より低侵襲な手術方法として腹腔鏡等を用いた鏡視下手術が行われており、当該手術においてシート状の癒着防止材を体内に挿入する方法が検討されている。
【０００４】
例えば非特許文献１では、シート状の癒着防止材を小さく裁断し、筒状に丸めて体内に挿入する方法が紹介されている。具体的に説明すると、まず、包装体内から取り出した癒着防止材を６分割又は１２分割する。そして、裁断した癒着防止材の一端を鉗子（把持鉗子）で把持した状態で筒状に丸めた後、トロッカーを介して体内に挿入する。
【先行技術文献】
【特許文献】
【０００５】
【特許文献１】特開２００３−０６２０６３号公報
【特許文献２】国際公開２０１１／０８１１６２号パンフレット
【非特許文献】
【０００６】
【非特許文献１】綾部琢哉、"腹腔鏡下直接挿入法"、［online］、科研製薬株式会社のセプラフィルム情報サイト、［平成２５年５月２８日検索］、インターネット＜URL：http://seprafilm.jp/howto02.html＞
【発明の概要】
【発明が解決しようとする課題】
【０００７】
ところで、癒着防止材の適用面積が広い場合、非特許文献１で紹介されている方法では、小さく裁断した癒着防止材が数多く必要となるため、癒着防止材を裁断する作業や裁断した癒着防止材を筒状に丸めて体内に挿入する作業を何度も行わなければならない。これらの作業が増えると、手術時間の長期化を招きかねない。
【０００８】
一方、シート状の癒着防止材を小さく裁断せずに、そのままの状態で癒着防止材の一端を鉗子で把持し筒状に丸めようとすると、筒状に丸めた癒着防止材の先端部分（鉗子で把持した部分とは反対側の部分）がラッパ状に大きく広がってしまう場合がある。ラッパ状に広がった部分がトロッカーの開口部（手術器具等の挿入口）の径よりも大きいと、トロッカーの開口部に癒着防止材の先端部分が引っ掛かってしまい、癒着防止材をトロッカー内に挿入するのが困難となる。
【０００９】
なお、これらの問題は、シート状物が癒着防止材である場合に限ったものではなく、例えばシート状の組織補填材など、他のシート状の生体埋植材である場合にも存在する。
【００１０】
そこで、本発明は、上記の問題を解決するためになされたもので、生体埋植材の適用面積が広い場合であっても、作業が煩雑になったり手術時間が長時間となったりすることなく、かつ、トロッカー内に挿入するのが比較的容易な生体埋植材を提供することを目的とする。
【課題を解決するための手段】
【００１１】
本発明者らは、上記目的を達成するために鋭意研究を重ねた結果、生体埋植材の縁部に、所定形状に切り欠かれた切欠き部を形成すれば、上記課題を解決できることを見出し、本発明を完成させるに至った。
【００１２】
すなわち、本発明は、以下（１）〜（６）を特徴とする。
（１）シート状の生体埋植材であって、前記生体埋植材の全体形状は、平面視矩形状であり、前記生体埋植材の縁部には、前記生体埋植材における１組の対辺のうち一方の辺の長さが他方の辺の長さよりも短くなるように、所定形状に切り欠かれた切欠き部が形成されている、生体埋植材。
（２）前記切欠き部は、前記生体埋植材の内角のいずれか１つであって前記一方の辺に隣接する位置に形成されている、上記（１）に記載の生体埋植材。
（３）前記切欠き部の形状は、前記一方の辺に垂直な第１の辺と、前記第１の辺に垂直であって前記一方の辺と平行関係にある第２の辺との二辺から構成されたＬ字状である、上記（２）に記載の生体埋植材。
（４）前記第１の辺の長さが、２ｍｍ以上に設定されている、上記（３）に記載の生体埋植材。
（５）前記生体埋植材の全体形状は、隣り合う辺の長さが異なる長方形状である、上記（１）〜（４）のいずれか１つに記載の生体埋植材。
（６）前記生体埋植材が癒着防止材であることを特徴とする、上記（１）〜（５）のいずれか１つに記載の生体埋植材。
【発明の効果】
【００１３】
本発明の生体埋植材によれば、生体埋植材の縁部に上記した切欠き部が形成されているため、詳細については後述するが、切欠き部の一部を鉗子の把持部で把持した状態で、生体埋植材の残りの部分を鉗子のシャフト部に巻きつけると、筒状に丸めた生体埋植材の先端部分がラッパ状に広がることなく、比較的綺麗に筒状に丸めることができる。その結果、生体埋植材をトロッカー内に挿入するのが比較的容易となる。
また、生体埋植材を小さく裁断しなくても体内に挿入することができるため、生体埋植材を体内に挿入するための作業が煩雑になったり手術時間が長時間となったりすることもない。
【００１４】
なお、特許請求の範囲に記載した各部材等の文言下に括弧をもって付加された符号は、特許請求の範囲に記載された内容の理解を容易にするために用いられたものであって、特許請求の範囲に記載された内容を限定するものではない。
【図面の簡単な説明】
【００１５】
【図１】図１は、実施形態に係る生体埋植材１を説明するために示す図である。
【図２】図２は、把持鉗子９０の構成を示す図である。
【図３】図３は、比較例に係る生体埋植材９を説明するために示す図である。
【図４】図４は、実施形態に係る生体埋植材１を説明するために示す図である。
【図５】図５は、変形例に係る生体埋植材１ａ〜１ｉの平面図である。
【発明を実施するための形態】
【００１６】
以下、本発明の生体埋植材について、図に示す実施の形態に基づいて説明する。
【００１７】
［実施形態］
まず、実施形態に係る生体埋植材の構成について、図１を用いて説明する。
【００１８】
図１は、実施形態に係る生体埋植材１を説明するために示す図である。図１（ａ）は生体埋植材１の平面図であり、図１（ｂ）は生体埋植材１における切欠き部２０の周辺部分を拡大して示す図である。
【００１９】
実施形態に係る生体埋植材１は、例えば厚さ０．０５ｍｍのシート状（フィルム状）の癒着防止材である。生体埋植材１の平面形状は、図１（ａ）に示すように、例えば平面視略長方形状（１３０ｍｍ×１００ｍｍ）であり、縁部が所定形状に切り欠かれている。
なお、生体埋植材１の外形寸法及び厚みについて、上記数値に限定されない。
【００２０】
４つの辺１０，１２，１４，１６は、それぞれ直線であり、対辺同士がそれぞれ平行関係にある。辺１０と辺１４によって形成される内角の位置（正確には、辺１０と重なる第１仮想直線と辺１４と重なる第２仮想直線とが交差する位置）には、切欠き部２０が形成されている。
【００２１】
切欠き部２０の形状は、図１（ｂ）に示すように、辺１０に垂直な第１の辺２２と、第１の辺２２に垂直であって辺１０と平行関係にある第２の辺２４との二辺から構成された、Ｌ字状である。
【００２２】
第１の辺２２の長さＬ１は、例えば５ｍｍに設定されている。第２の辺２４の長さＬ２は、例えば５０ｍｍに設定されている。
【００２３】
辺１０の長さは、例えば５０ｍｍであり、辺１２の長さは、例えば１００ｍｍである。辺１４の長さは、例えば１２５ｍｍであり、辺１６の長さは、例えば１３０ｍｍである。生体埋植材における２組の対辺のうち短辺側の対辺１０，１２についてみると、上記した切欠き部２０が形成されていることにより、辺１０（一方の辺）の長さが辺１２（他方の辺）の長さよりも短くなる。また、長辺側の対辺１４，１６についてみると、上記した切欠き部２０が形成されていることにより、辺１４（一方の辺）の長さが辺１６（他方の辺）の長さよりも短くなる。
【００２４】
次に、生体埋植材を体内（トロッカー内）に挿入するために使用する把持鉗子の構成について、図２を用いて説明する。
図２は、把持鉗子９０の構成を示す図である。
【００２５】
把持鉗子９０は、内視鏡下手術用把持鉗子であって、シャフト部９２と、シャフト部９２の先端側に配設された把持部９４と、シャフト部９２の基端側に配設されたハンドル部９６とを備える。把持部９４は、嘴状に開閉する一対の把持片を有し、ハンドル部９６の操作により開閉動作可能に構成されている。
【００２６】
次に、比較例に係る生体埋植材９との構成の違いをもとに、実施形態に係る生体埋植材１の効果を詳細に説明する。
図３は、比較例に係る生体埋植材９を説明するために示す図である。図３（ａ）は生体埋植材９の一端を把持鉗子９０の把持部９４で把持したときの様子を模式的に示す図であり、図３（ｂ）は生体埋植材９を筒状に丸めたときの様子を模式的に示す図である。
図４は、実施形態に係る生体埋植材１を説明するために示す図である。図４（ａ）は生体埋植材１の一部を把持鉗子９０の把持部９４で把持したときの様子を模式的に示す図であり、図４（ｂ）は生体埋植材１を筒状に丸めたときの様子を模式的に示す図である。
【００２７】
比較例に係る生体埋植材９は、基本的には実施形態に係る生体埋植材１と同様の構成を有するが、図３（ａ）に示すように切欠き部が形成されていない点で、実施形態に係る生体埋植材１とは異なる。
【００２８】
比較例に係る生体埋植材９においては、図３（ａ）に示すように、生体埋植材９の一端を把持部９４で把持した状態で筒状に丸めようとすると、筒状に丸めた生体埋植材９の先端部分（把持部９４で把持した部分とは反対側の部分）がラッパ状に大きく広がってしまう場合がある（図３（ｂ）参照。）。ラッパ状に広がった部分がトロッカーの開口部（図示せず。）の径よりも大きいと、トロッカーの開口部に生体埋植材９の先端部分が引っ掛かってしまい、生体埋植材９をトロッカー内に挿入するのが困難となる。
【００２９】
これに対し、実施形態に係る生体埋植材１によれば、生体埋植材１の縁部に切欠き部２０が形成されているため、図４（ａ）に示すように、切欠き部２０の一部（第１の辺２２）を把持鉗子９０の把持部９４で把持し、把持鉗子９０のシャフト部９２が切欠き部２０における第２の辺２４に沿うようにして、生体埋植材１の残りの部分をシャフト部９２に巻きつけると、筒状に丸めた生体埋植材１の先端部分がラッパ状に広がることなく、比較的綺麗に筒状に丸めることができる（図４（ｂ）参照。）。その結果、生体埋植材１をトロッカー内に挿入するのが比較的容易となる。
また、生体埋植材１を小さく裁断しなくても体内に挿入することができるため、生体埋植材１を体内に挿入するための作業が煩雑になったり手術時間が長時間となったりすることもない。
【００３０】
実施形態に係る生体埋植材１においては、切欠き部２０は、生体埋植材１の内角のいずれか１つであって辺１０に隣接する位置に形成されている。言い換えると、切欠き部２０は、生体埋植材１における辺１０の一端であって辺１４の一端に形成されている。たとえば、生体埋植材の外形を構成する４辺のうちいずれか１辺の中間位置に切欠き部が形成されている場合（後述する図５（ｄ）参照。）と比べて、筒状に丸める際に丸めやすいという効果がある。
【００３１】
実施形態に係る生体埋植材１においては、切欠き部２０の形状は、上記したように、辺１０に垂直な第１の辺２２と辺１０に平行な第２の辺２４との二辺から構成されたＬ字状である。これにより、第１の辺２２の一部を把持部９４で把持する際に、辺１０，１２に対してシャフト部９４が平行となるように位置決めしやすくなるため、より綺麗に筒状に丸めることができるようになる。
【００３２】
実施形態に係る生体埋植材１においては、第１の辺２２の長さＬ１が、２ｍｍ以上に設定されている。これにより、把持鉗子９０の把持部９４で把持する際に、比較的容易に把持することが可能となる。
【００３３】
実施形態に係る生体埋植材１は癒着防止材であるため、癒着防止材の適用面積が広い場合であっても、作業が煩雑になったり手術時間が長時間となったりすることなく、かつ、トロッカー内に挿入するのが比較的容易な癒着防止材を提供することができる。
【００３４】
以上、本発明の生体埋植材を上記の実施形態に基づいて説明したが、本発明は上記の実施形態に限定されるものではなく、その要旨を逸脱しない範囲において種々の態様において実施することが可能であり、例えば次のような変形も可能である。
【００３５】
（１）切欠き部が形成されている位置、数及びその形状について、上記実施形態に限定されない。図５は、変形例に係る生体埋植材１ａ〜１ｉの平面図である。
例えば、図５（ａ）に示すように、生体埋植材１ａの長辺方向に沿って切欠き部２０ａが形成されていてもよい。また、図５（ｂ）に示すように、生体埋植材１ｂの短辺方向及び長辺方向に沿ってそれぞれ１つずつ切欠き部２０ｂ，２１ｂが形成されていてもよい。また、図５（ｃ）に示すように、２つの切欠き部２０ｃ，２１ｃが隣り合うように形成されていてもよい。また、図５（ｄ）に示すように、辺の中間位置に切欠き部２０ｄが形成されていてもよい。また、図５（ｅ）〜図５（ｈ）に示すように、Ｌ字状とは異なる形状の切欠き部２０ｅ〜２０ｈが形成されたものであってもよい。さらにまた、切欠き部に代えて、所定幅の切れ込み２０ｉが形成されたものであってもよい。
【００３６】
（２）上記実施形態においては、生体埋植材の全体形状として、隣り合う辺の長さが異なる長方形状である場合を例示して説明したが、本発明はこれに限定されるものではない。例えば、正方形状であってもよいし、矩形以外の形状（例えば円形、楕円形など）からなる生体埋植材に対しても、本発明を適用可能である。
【００３７】
（３）上記実施形態においては、生体埋植材が癒着防止材である場合を例示して説明したが、本発明はこれに限定されるものではない。例えば組織補填材など、他のシート状の生体埋植材であっても、本発明を適用可能である。
【符号の説明】
【００３８】
１，１ａ〜１ｉ，９  生体埋植材
１０，１２，１４，１６  辺
２０，２０ａ，２０ｂ，２１ｂ，２０ｃ，２１ｃ，２０ｄ，２０ｅ，２０ｆ，２０ｇ，２０ｈ  切欠き部
２０ｉ  切れ込み
２２  第１の辺
２４  第２の辺
９０  把持鉗子
９２  シャフト部
９４  把持部
９６  ハンドル部
Ｌ１  第１の辺の長さ
Ｌ２  第２の辺の長さ
【図１】
2015058037.tif 000003
【図２】
2015058037.tif 000004
【図３】
2015058037.tif 000005
【図４】
2015058037.tif 000006
【図５】
2015058037.tif 000007